【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
繊維品を連続バッチ式トンネル型洗濯機で洗濯する方法であって、
ａ）内部、取入部、排出部、複数のモジュール及び所定容量の液体を有する連続バッチ式トンネル型洗濯機を配備するステップであって、前記複数のモジュールが、第１のモジュールと、最後のモジュールと、前記第１のモジュール及び前記最後のモジュールの間に複数の内部モジュールと、を含む、ステップと、
ｂ）繊維品を、取入部から、複数のモジュール及び排出部へと順次移動させるステップと、を有し
ｃ）ステップｂの後、選択された時間の間、洗濯機内部の中にすすぎ液の対向流れを流さないことを含み、
ｄ）ステップｃの後、ステップｂにおいて、繊維品の移送方向とは略反対方向の流れ経路に沿って、相隔たる第１の位置と第２の位置で、すすぎ液の対向流れを流すステップを有し、
ｅ）前記複数のモジュールの１又は２以上のモジュールは、孔のあいたスクープ及び外側シェルを有し、前記複数のモジュールの１又は２以上のモジュールは、外側シェルを有さず、
ｆ）外側シェルを有しないモジュールは、繊維品及び液体を、下流の次のモジュールに移送するスクープを有するキャリーオーバーモジュールであり、前記キャリーオーバーモジュールの少なくとも１又は２以上のモジュールは、第１のモジュールと最後のモジュールとの間に配置された中間モジュールである、方法。
【請求項２】
ステップｄにおいて、１又は複数のブースターポンプが設けられ、各ブースターポンプは、前記モジュールのうちの異なる１つのモジュールにおける対向流れのすすぎ液の流量を増量する、請求項１の方法。
【請求項３】
１又は複数のブースターポンプは、２以上のモジュールの間隔をあけて配置される、請求項２の方法。
【請求項４】
ステップｄにおいて、１又は複数のブースターポンプは、外側シェルを有するモジュールの中に液体を送り込む、請求項２の方法。
【請求項５】
１又は複数のブースターポンプは、各々が、孔のあいていないスクープを有するモジュールの中に液体を送り込む、請求項２の方法。
【請求項６】
流れが実質的に停止される時間は、約５分未満である、請求項４の方法。
【請求項７】
流れが実質的に停止される時間は、約３分未満である、請求項４の方法。
【請求項８】
流れが実質的に停止される時間は、約２分未満である、請求項４の方法。
【請求項９】
流れが実質的に停止される時間は、約２０〜１２０秒である、請求項４の方法。
【請求項１０】
繊維品を連続バッチ式トンネル型洗濯機で洗濯する方法であって、
ａ）内部、取入部、排出部、及び前記内部を分割する複数のモジュールを有する連続バッチ式トンネル型洗濯機を配備するステップであって、前記複数のモジュールが、第１のモジュールと、最後のモジュールと、前記第１のモジュール及び前記最後のモジュールの間に複数の内部モジュールと、を含む、ステップと、
ｂ）繊維品を、取入部から排出部へ移動させるステップと、
ｃ）洗浄用化学剤を前記複数のモジュールの１又は２以上のモジュールに加えるステップと、
ｄ）選択された時間の後で、かつ、ステップｃの後、ステップｂの繊維品移送方向とは略反対方向の流れ経路に沿って、前記洗濯機の内部の中に液体の対向流れを流すステップと、
ｅ）前記複数のモジュールを通って水の対向流れを流して繊維品のすすぎを行うステップと、を有し、
ｆ）前記複数のモジュールの幾つかは外側シェルを有し、前記複数のモジュールの幾つかは外側シェルを有さず、
ｇ）外側シェルを有する１又は２以上のモジュールは孔のあいたスクープを有し、
ｈ）外側シェルを有しないモジュールは、各モジュールが孔のあいていないスクープを有し、繊維品及び液体を、下流の次のモジュールに移送するキャリーオーバーモジュールであり、前記キャリーオーバーモジュールの少なくとも１又は２以上のモジュールは、第１のモジュールと最後のモジュールとの間に配置された中間モジュールである、方法。
【請求項１１】
繊維品を連続バッチ式トンネル型洗濯機で洗濯する方法であって、
ａ）内部、取入部、排出部、及び前記内部を分割する複数のモジュールを有する連続バッチ式トンネル型洗濯機を配備するステップであって、前記複数のモジュールが、第１のモジュールと、最後のモジュールと、前記第１のモジュール及び前記最後のモジュールの間に複数の内部モジュールと、を含む、ステップと、
ｂ）繊維品を、取入部から排出部へ、前記複数のモジュールを順次通って移動させるステップと、
ｃ）洗浄用化学剤を前記複数のモジュールの１又は２以上のモジュールに加えるステップと、
ｄ）ステップｃの後、前記複数のモジュールの１又は２以上のモジュールの中で繊維品を洗浄するステップと、
ｅ）ステップｃ及びステップｄの終了後、ステップｂの繊維品移送方向とは略反対方向の流れ経路に沿って、前記洗濯機の内部の中に液体の対向流れを流すことにより、繊維品のすすぎを行うステップと、を有し、
ｆ）１又は複数のモジュールは、孔のあいたスクープを有するすすぎモジュールであり、
ｇ）１又は複数のモジュールは、外側シェルを有し、
ｈ）内部モジュールの１又は２以上のモジュールは、外側シェルを有さず、繊維品及び液体を、下流の次のモジュールに移送する孔のあいていないスクープを有するキャリーオーバーモジュールである、方法。
【請求項１２】
繊維品を連続バッチ式トンネル型洗濯機で洗濯する方法であって、
ａ）内部、取入部、排出部、複数のモジュール及び所定容量の液体を有する連続バッチ式トンネル型洗濯機を配備するステップと、
ｂ）繊維品を、取入部から、複数のモジュール及び排出部へ順次移動させるステップと、を有し、
ｃ）ステップｂにおいて、前記複数のモジュールの１又は２以上のモジュールは、孔のあいたスクープを有しており、
ｄ）ステップｂ及びステップｃにおいて、繊維品の移送方向とは略反対方向の流れ経路に沿って、相隔たる第１の位置と第２の位置で、すすぎ液の対向流れを流すステップと、
ｅ）ステップｅの間、取入部と排出部との間で相隔たる１又は複数の位置で、ブースターポンプにより、対向流れのすすぎ液の圧力を昇圧するステップと、
ｆ）相隔たる第１の位置と第２の位置にて、孔のあいていないスクープを有するモジュールで繊維品及びすすぎ液をあるモジュールから別のモジュールへキャリーオーバーするステップと、を有する、方法。
【請求項１３】
複数のモジュールは、孔のあいたスクープを有する、請求項１２の方法。
【請求項１４】
ステップｅにおいて、１又は複数のブースターポンプは、外側シェルを有するモジュールの中に液体を送り込む、請求項１２の方法。
【請求項１５】
１又は複数のブースターポンプは、孔のあいていないスクープを有するモジュールの中に液体を送り込む、請求項１２の方法。
【請求項１６】
ステップｃの後、流れは所定時間、実質的に停止される、請求項１４の方法。
【請求項１７】
流れが実質的に停止される時間は、約３分未満である、請求項１６の方法。
【請求項１８】
流れが実質的に停止される時間は、約２分未満である、請求項１６の方法。
【請求項１９】
流れが実質的に停止される時間は、約２０〜１２０秒である、請求項１６の方法。
【請求項２０】
ステップｅにおいて、外側シェルを有するモジュールは第１の数であり、外側シェルを有しないモジュールは、第１の数よりも多い第２の数である、請求項１の方法。
【請求項２１】
複数のモジュールは、互いに隣接する外側シェルを有する、請求項１の方法。
【請求項２２】
外側シェルを有しない複数のモジュールは、外側シェルを有するモジュールとモジュールとの間にある、請求項１の方法。
【請求項２３】
複数のモジュールは、各々が外側シェルを有する第１のモジュール及び最後のモジュールを含む、請求項１の方法。
【請求項２４】
繊維品を連続バッチ式トンネル型洗濯機で洗濯する方法であって、
ａ）内部、取入部、排出部、複数のモジュール及び所定容量の液体を有する連続バッチ式トンネル型洗濯機を配備するステップであって、前記複数のモジュールが、第１のモジュールと、最後のモジュールと、前記第１のモジュール及び前記最後のモジュールの間に複数の内部モジュールと、を含む、ステップと、
ｂ）繊維品を、取入部から、複数のモジュール及び排出部へと順次移動させるステップと、を有し、
ｃ）ステップｂの後、選択された時間の間、洗濯機内部の中にすすぎ液の対向流れを流さないことを含み、
ｄ）ステップｃの後、ステップｂにおいて、繊維品の移送方向とは略反対方向の流れ経路に沿って、相隔たる第１の位置と第２の位置で、すすぎ液の対向流れを流すステップを有し、
ｅ）前記複数のモジュールの１又は２以上のモジュールは、孔のあいたスクープ及び外側シェルを有し、前記複数のモジュールの１又は２以上のモジュールは、繊維品及び液体を、下流の次のモジュールに移送するスクープを有するキャリーオーバーモジュールであり、前記キャリーオーバーモジュールの少なくとも１又は２以上のモジュールは、第１のモジュールと最後のモジュールとの間に配置された中間モジュールである、方法。
【請求項２５】
ステップｄにおいて、１又は複数のブースターポンプが設けられ、各ブースターポンプは、前記複数のモジュールにおける対向流れのすすぎ液の流量を増量する、請求項２４の方法。
【請求項２６】
２つのブースターポンプは、２以上のモジュールの間隔をあけて配置される、請求項２５の方法。
【請求項２７】
ステップｄにおいて、１又は複数のブースターポンプは、外側シェルを有するモジュールの中に液体を送り込む、請求項２５の方法。
【請求項２８】
１又は複数のブースターポンプは、各々が、液体を、孔のあいていないスクープを有するモジュールの中に液体を送り込む、請求項２５の方法。